(57)【要約】【課題】画像形成装置組立時において姿勢を変えて保持する場合に、治具を必要とすることなく安定した姿勢に簡単に保持できるようにする。【解決手段】外枠カバー又は画像形成用機器を支持する支持部材２１，２３，２４，２５が上部に形成され、画像形成装置を設置面に直立させるためのベース部３が下部に形成されている画像形成装置用フレーム１において、フレーム上部には、支持部材２１，２３の先端とで略同一平面を構成するように、その先端の高さが設定された突部２５１が設けられている。突部２５１は、画像形成装置用フレーム１を天地逆向きとした状態で、突部２５１の先端と支持部材２１，２３の先端とによって、画像形成装置用フレーム１を支持可能となる位置に設けられている。【選択図】        図２
2004202765.tif 000002
【特許請求の範囲】
【請求項１】
外枠カバー又は画像形成用機器を支持する支持部材が上部に形成され、画像形成装置を設置面に直立させるためのベース部が下部に形成されている画像形成装置用フレームにおいて、
前記フレーム上部には、少なくとも２つの前記支持部材の先端とで略同一平面を構成するように、先端の高さが設定された突部が形成され、
前記突部は、当該画像形成装置用フレームを天地逆向きとした状態で、当該突部の先端と前記支持部材の先端とによって、当該画像形成装置用フレームを少なくとも３点以上で支持可能となる位置に設けられていることを特徴とする画像形成装置用フレーム。
【請求項２】
前記突部の先端の高さは、少なくとも前記支持部材の１つの先端の高さより低く設定されていることを特徴とする請求項１に記載の画像形成装置用のフレーム。
【請求項３】
前記突部の先端は、その上面部全面が、少なくとも２つの前記支持部材の先端とで略同一平面を構成するように形成されていることを特徴とする請求項１又は請求項２に記載の画像形成装置用フレーム。
【発明の詳細な説明】
【０００１】
【発明の属する技術分野】
本発明は、画像形成用の各機器や画像形成装置の外枠カバーを支持する画像形成装置用フレームに関する。
【０００２】
【従来の技術】
従来から、画像形成装置の内部には、画像形成装置の外枠カバーを支持するフレーム（骨組み）が備えられており、これらフレーム及び外枠カバーにより画像形成装置本体の強度が保たれ、内部機器が保護されるようになっている。また、このフレームは、外枠カバーを支持するだけではなく、その内部には感光体ドラム、現像器、転写器等の画像形成ユニットや定着用ユニット等の画像形成用の各機器が配設されるようになっている（例えば、特許文献１参照）。
【０００３】
【特許文献１】
特開２００１−２５５７９３号公報
【０００４】
【発明が解決しようとする課題】
上記のような画像形成装置用フレームは、外枠カバーの支持のみではなく、画像形成用機器が取り付けられるため、画像形成装置の組立時には、当該フレームに対して、前後左右上下方向の多方向から内部機器や外枠カバーを取り付ける必要があり、画像形成装置の組立においては、当該フレームを天地逆向きや横向きとした姿勢で保持する必要がある。しかし、当該フレームは多くの内部機器の配設を可能とするために複雑な形状となっているため、当該フレームを多方向に姿勢を変えて保持するには、多種類の治具が必要となり、姿勢を変えた状態での設置には工程を多く要するという問題がある。
【０００５】
本発明は、上述した問題点を解決するためになされたものであり、画像形成装置組立時において姿勢を変えて保持する場合に、治具を必要とすることなく安定した姿勢に簡単に保持することができる画像形成装置用フレームを提供することを目的とする。
【０００６】
【課題を解決するための手段】
上記目的を達成するために請求項１に記載の発明は、外枠カバー又は画像形成用機器を支持する支持部材が上部に形成され、画像形成装置を設置面に直立させるためのベース部が下部に形成されている画像形成装置用フレームにおいて、
前記フレーム上部には、少なくとも２つの前記支持部材の先端とで略同一平面を構成するように、先端の高さが設定された突部が形成され、
前記突部は、当該画像形成装置用フレームを天地逆向きとした状態で、当該突部の先端と前記支持部材の先端とによって、当該画像形成装置用フレームを少なくとも３点以上で支持可能となる位置に設けられているものである。
【０００７】
この構成によれば、少なくとも２つの支持部材の先端と突部の先端とで略同一平面を構成するように高さ設定がされた突部によって、当該画像形成装置フレームを天地逆向きとした状態では、前記突部の先端と前記支持部材の先端とによって、当該画像形成装置用フレームが少なくとも３点以上で支持されるので、当該画像形成装置用フレームは、天地逆向きの状態でも、治具を必要とせずに立つことが可能になり、安定した姿勢で保持される。
【０００８】
また、請求項２に記載の発明は、請求項１に記載の画像形成装置用のフレームであって、前記突部の先端の高さは、少なくとも前記支持部材の１つの先端の高さより低く設定されているものである。
【０００９】
この構成によれば、突部の高さが、少なくとも支持部材の１つの先端の高さより低く設定されているので、支持部材に外枠カバーや画像形成用機器（例えば、画像読み取り装置や光学系ユニット等）を取り付けて画像形成装置の上部機構を組み立てる場合に、当該突部の存在が画像形成装置の組立に悪影響を及ぼすことが少ない。
【００１０】
また、請求項３に記載の発明は、請求項１又は請求項２に記載の画像形成装置用フレームであって、前記突部の先端は、その上面部全面が、少なくとも２つの前記支持部材の先端とで略同一平面を構成するように形成されているものである。
【００１１】
この構成によれば、当該画像形成装置用フレームを天地逆向きとした場合には、突部先端部の上面部全面が設置面又は台上に当接することになるので、当該フレームを天地逆向きに立てた場合の姿勢が更に安定する。
【００１２】
【発明の実施の形態】
以下、本発明の一実施形態に係る画像形成装置用フレームについて図面を参照して説明する。図１は本発明に係る画像形成装置用フレームが適用された複写機の外観構成を示す斜視図である。図１に示す複写機（画像形成装置の一例）１０の外形は、本体ハウジング１００とその上部に載置された上ハウジング１０１で区画されている。本体ハウジング１００と上ハウジング１０１の中間部には右側側面から略水平方向に内側に入り込んだ用紙スタック空間部１０２が形成されている。この用紙スタック空間部１０２は、本体ハウジング１００から横方向に排出される用紙を受け取るものである。さらに、本体ハウジング１００の側部には、本体ハウジング１００の外側へ排出される用紙を積載するためのシートトレイ１０３が設けられている。
【００１３】
上ハウジング１０１は原稿画像を読み取るために原稿を画像読取り位置に搬送する原稿搬送部２００と、画像読取り位置において原稿を露光走査して画像読取りする原稿読取り部とを有している。さらに本体ハウジング１００は、用紙の給紙部、用紙上にトナー画像を形成する感光体ドラム及び現像部、及び用紙上のトナー画像を定着するための定着部を内蔵した下ハウジング１０４と、定着後の用紙を搬送して用紙スタック空間部１０２又はシートトレイ１０３に排出するための用紙搬送路を内蔵した連結ハウジング１０５とで区画されている。本体ハウジング１００の前面下部には、記録紙が収容される給紙カセット１０６が手前側から奥行き方向に引き出し自在に取り付けられている。
【００１４】
次に、画像形成装置用フレームについて説明する。図２は本発明に係る画像形成装置用フレームを前方斜め上から見た斜視図、図３は画像形成装置用フレームを前方斜め上から図２とは角度を変えて見た斜視図、図４は画像形成装置用フレームを後方斜め上から見た斜視図、図５は画像形成装置用フレームを後方斜め上から図４とは角度を変えて見た斜視図である。図６は画像形成装置用フレームの正面図、図７及び図８は画像形成装置用フレームの側面図である。画像形成装置用フレーム（以下、フレーム）１は、合成樹脂等からなり、複写機１０の外枠カバーや画像形成用の内部機器等を支持する複数の支持部材２１，２３，２４，２５が上部に形成され、フレーム１を設置面に直立させるベース部３が下部に形成されている。
【００１５】
ベース部３は、水平方向に延びて上面に支持部材２１等が形成されているベース部材３１と、ベース部材３１下部の両側端から下方に延びるように形成され、フレーム１を直立させる脚部３２１，３２２とからなる。ベース部材３１及び脚部３２によって形成されるフレーム１前面部の開口部は、給紙カセット１０６（図１）が前後方向に引き出し自在に取り付けられる給紙カセット取付部３３である。
【００１６】
図２において、ベース部材３１の上面には、フレーム１前面の左側部に支持部材２１、フレーム１前面の右側部に支持部材２３、前部に平板状の支持部材２４、後部に平板状の支持部材２５が形成されている。支持部材２１及び２３の前側面には、本体ハウジング１００の前面部にあたる外枠カバーが取り付けられる。また、支持部材２３及び脚部３２２の右側面には、本体ハウジング１００の右側面にあたる外枠カバーが取り付けられる。支持部材２１及び脚部３２１の左側面には、本体ハウジング１００の左側面にあたる外枠カバーが取り付けられる。フレーム１の前後面に形成されている支持部材２４，２５は、その両側に画像形成用の内部機器が配設される。なお、本体ハウジング１００の後側面にあたる外枠カバーは、フレーム１のベース部３の後側面に取り付けられる。
【００１７】
フレーム１の側部（図２及び図３では左側部）には、給紙カセット１０６から出て作像ユニットを通過した記録紙を定着ユニットに搬送する搬送ユニットを配置するための搬送ユニット配置部２７が形成されている。
【００１８】
支持部材２１の上部には、連結ハウジング１０５にあたる外枠カバーが取り付けられる。支持部材２３の上部には、用紙スタック空間部１０２にあたる外枠カバーが取り付けられる。
【００１９】
フレーム１の後面側の支持部材２５には、上方に突出した形状の突部２５１が設けられている。この突部２５１の先端は、支持部材２１，２３の上部先端と仮想的に平面を形成するように高さ設定がされている（すなわち、突部２５１の上部先端は、支持部材２１，２３の上部先端とで略同一平面を構成するように、その高さが設定されている）。
【００２０】
また、突部２５１の上端部は、支持部材２３の先端の高さよりも低く設定されている。さらに、突部２５１は、その先端の上面部全面（上面部全体）が、支持部材２１，２３の先端とで形成される略同一平面上にあるように形成されている。
【００２１】
次に、フレーム１に対する画像形成用機器の配置について説明する。図９はフレーム１に対する画像形成用の主な内部機器の配置を模式的に示す側面図である。フレーム１には、その前方から見て、ベース部３の中央部から左に寄った位置には、作像ユニット５１が配設され、その左側方には作像ユニット５１を通過した記録紙を定着ユニット５２に向けて搬送する搬送ユニット５３が配設される。
【００２２】
搬送ユニット５３の上方には、記録紙に転写されたトナー画像を記録紙に定着させる定着ユニット５２が配設される。定着ユニット５２の側方には、定着ユニット５２を通過した記録紙を用紙スタック空間部１０２に排出する排出ユニット５５が配設される。この定着ユニット５２及び排出ユニット５５は、本体ハウジング１００の上ハウジング１０１と下ハウジング１０２とを繋ぐ連結ハウジング１０５（図１参照）の内部に収められる。原稿画像を読み取るスキャナ等からなる光学系ユニット５６は、定着ユニット５２及び排出ユニット５５上方の上ハウジング１０１内に収められる。
【００２３】
突部２５１の先端高さは、ベース部３に配置された作像ユニット５１の上部と略同じ高さまでとされ、フレーム１に本体ハウジング１００を取り付けたときに、用紙スタック空間部１０２の形成に支障を及ぼさないように設定されている。また、突部２５１は、フレーム１に対して上記各作像ユニット５１，定着ユニット５２，搬送ユニット５３，排出ユニット５５を配設しても支障を生じない位置に配置されている。
【００２４】
図１０はフレーム１を天地逆向きに設置した状態を示す背面図である。上記のようにフレーム１は、その下部の給紙カセット取付部３３に給紙カセット１０６が取り付けられ、支持部材２１，２３には側方から外枠カバーが取り付けられ、支持部材２１乃至２５の内部には上方及び側方から画像形成用の内部機器が配設され、支持部材２１，２３の上部には連結ハウジング１０５や用紙スタック空間部１０２となる外枠カバー等が取り付けられる。よって、フレーム１には、多方向から多種類の部品が装填されるので、これらの組立時にはフレーム１を天地逆向き等の姿勢に保持した状態として各部品を組み付ける必要がある。
【００２５】
この画像形成装置用フレーム１は、支持部材２１，２３の各先端と突部２５１の先端とが略同一平面をなすように高さ設定がされているので、図１０に示すように、画像形成装置用フレーム１を天地逆向きにした場合であっても、支持部材２１と支持部材２３と突部２５１の各先端が設置面に当接して立つ。このようにフレーム１は、姿勢保持用治具等を用いなくても、天地逆向きの状態で安定した姿勢に保持される。
【００２６】
また、突部２５１の先端は、その上面全体が設置面に当接するように設定されているので、支持部材２１，２３の先端が設置面に接する面積が小さくても、フレーム１を天地逆向きに設置した姿勢がより安定する。
【００２７】
なお、本発明は上記実施の形態の構成に限られず種々の変形が可能である。例えば、上記実施の形態では、図２等に示したように、突部２５１は支持部材２５に設けられているが、突部２５１が設けられる位置は支持部材２５に限定されるものではなく、突部２５１の先端が支持部材２１，２３等の先端とで略同一平面を構成し、フレーム１を天地逆向とした状態で各部先端による少なくとも３点以上の支持によって立てることが可能な位置であれば、他の位置であっても構わない。
【００２８】
【発明の効果】
以上のように請求項１に記載の発明によれば、少なくとも２つの支持部材の先端と突部の先端とで略同一平面を構成するように高さ設定がされた突部によって、当該画像形成装置フレームを天地逆向きとした状態では、前記突部の先端と前記支持部材の先端とによって、当該画像形成装置用フレームが少なくとも３点以上で支持されるので、当該画像形成装置用フレームは、天地逆向きの状態でも、治具を必要とせずに立つことが可能になり、安定した姿勢で保持される。
【００２９】
また、請求項２に記載の発明によれば、突部の高さが、少なくとも支持部材の１つの先端の高さより低く設定されているので、支持部材に外枠カバーや画像形成用機器（例えば、画像読み取り装置や光学系ユニット等）を取り付けて画像形成装置の上部機構を組み立てる場合に、当該突部の存在が画像形成装置の組立に悪影響を及ぼすことが少ない。
【００３０】
また、請求項３に記載の発明によれば、当該画像形成装置用フレームを天地逆向きとした場合には、突部先端部の上面部全面が設置面又は台上に当接することになるので、当該フレームを天地逆向きに立てた場合の姿勢が更に安定する。
【図面の簡単な説明】
【図１】本発明に係る画像形成装置用フレームが適用された複写機の外観構成を示す斜視図である。
【図２】本発明に係る画像形成装置用フレームを前方斜め上から見た斜視図である。
【図３】画像形成装置用フレームを前方斜め上から図２とは角度を変えて見た斜視図である。
【図４】画像形成装置用フレームを後方斜め上から見た斜視図である。
【図５】画像形成装置用フレームを後方斜め上から図４とは角度を変えて見た斜視図である。
【図６】画像形成装置用フレームの正面図である。
【図７】画像形成装置用フレームの側面図である。
【図８】画像形成装置用フレームの側面図である。
【図９】画像形成装置用フレームに対する画像形成用の主な内部機器の配置を模式的に示す側面図である。
【図１０】画像形成装置用フレームを天地逆向きに設置した状態を示す背面図である。
【符号の説明】
１      画像形成装置用フレーム
３      ベース部
１０    複写機
２１，２３，２４，２５  支持部材
２５１  突部
【図１】
2004202765.tif 000003
【図２】
2004202765.tif 000004
【図３】
2004202765.tif 000005
【図４】
2004202765.tif 000006
【図５】
2004202765.tif 000007
【図６】
2004202765.tif 000008
【図７】
2004202765.tif 000009
【図８】
2004202765.tif 000010
【図９】
2004202765.tif 000011
【図１０】
2004202765.tif 000012